(57)【要約】【課題】高価なデータベースや通信インフラ等を使うことなく、比較的安価に物品の管理を行う。【解決手段】無線タグ通信装置２００は、書籍を載せる書棚及び操作者に設けられるタグラベルにそれぞれ備えられる無線タグ回路素子Ｔo−Ｂ，Ｔo−Ｍとの間で無線通信により信号の授受を行うアンテナ１０及び高周波回路２０１と、書籍Ｂに設けられたバーコードＣの情報を光学的に検出するバーコードリーダ２０３と、制御回路２０２とを有する。制御回路２０２は、バーコードリーダ２０３によるバーコード情報の検出結果に応じて、アンテナ１０及び高周波回路２０１を介し、書籍Ｂの管理用に設けた無線タグ回路素子Ｔo−ＢのＩＣ回路部１５１に対し書籍Ｂの各種作業情報を書き込む機能を有している。【選択図】図２
2008052454.tif 000002
【特許請求の範囲】
【請求項１】
管理対象の物品に設けられた光学識別子を光学的に検出する光学検出手段と、
情報を記憶するＩＣ回路部と情報を送受信するアンテナとを備えた無線タグ回路素子と無線通信を行うための通信手段と、
前記光学検出手段による前記光学識別子の検出結果に応じて、前記通信手段を介し、前記物品の管理用に設けた第１無線タグ回路素子に備えられた前記ＩＣ回路部に対し前記物品の保管状態に係わる各種作業情報を書き込む書き込み制御手段と
を有することを特徴とする無線タグ通信装置。
【請求項２】
請求項１記載の無線タグ通信装置において、
前記書き込み制御手段は、
前記光学検出手段による検出結果と前記無線タグ通信装置の作業モードとに応じて、前記各種作業情報を書き込むことを特徴とする無線タグ通信装置。
【請求項３】
請求項２記載の無線タグ通信装置において、
前記書き込み制御手段は、
前記光学検出手段による検出結果と前記無線タグ通信装置の作業モードとに応じて、前記第１無線タグ回路素子の前記ＩＣ回路部における前記物品の数量情報を減少又は増加させることを特徴とする無線タグ通信装置。
【請求項４】
請求項２又は３記載の無線タグ通信装置において、
前記書き込み制御手段は、
前記光学検出手段による検出結果と前記無線タグ通信装置の作業モードとに応じて、前記第１無線タグ回路素子の前記ＩＣ回路部に記憶された前記物品の数量履歴情報を更新することを特徴とする無線タグ通信装置。
【請求項５】
請求項２乃至４のいずれか１項記載の無線タグ通信装置において、
前記光学検出手段による前記光学識別子の検出時における環境情報を検出する環境情報検出手段を有し、
前記書き込み制御手段は、
前記光学検出手段による前記光学識別子の検出時において、前記環境情報検出手段で検出した前記環境情報を、前記物品の各種作業情報とともに前記第１無線タグ回路素子の前記ＩＣ回路部に対し書き込むことを特徴とする無線タグ通信装置。
【請求項６】
請求項１記載の無線タグ通信装置において、
前記光学検出手段による検出結果と前記無線タグ通信装置の作業モードとに応じて、前記通信手段を介し、前記物品の管理用に設けた第１無線タグ回路素子に備えられた前記ＩＣ回路部に記憶された、前記物品の前記各種作業情報を読み取る読み取り制御手段と、この読み取り制御手段で読み取った前記各種作業情報を集計し出力する集計出力手段とを有することを特徴とする無線タグ通信装置。
【請求項７】
請求項１乃至６のいずれか１項記載の無線タグ通信装置において、
前記通信手段を介し、操作者権限確認用に設けた第２無線タグ回路素子に備えられた前記ＩＣ回路部に記憶した操作権限情報を取得する権限情報取得手段を有し、
前記書き込み制御手段は、前記権限情報取得手段で取得した前記操作権限情報に応じて前記第１無線タグ回路素子の前記ＩＣ回路部に対し前記各種作業情報の書き込みを行うことを特徴とする無線タグ通信装置。
【請求項８】
請求項７記載の無線タグ通信装置において、
当該複数種類の操作権限のうちいずれかを選択する選択操作信号を入力する信号入力手段を有し、
前記書き込み制御手段は、前記信号入力手段で入力した前記選択操作信号に応じて、前記各種作業情報の書き込みを行う
ことを特徴とする無線タグ通信装置。
【請求項９】
請求項８記載の無線タグ通信装置において、
前記権限情報取得手段で取得した前記操作権限情報と、前記信号入力手段で入力した前記選択操作信号に対応した操作権限とを照合する照合手段を有する
ことを特徴とする無線タグ通信装置。
【請求項１０】
請求項１乃至９のいずれか１項記載の無線タグ通信装置において、
前記通信手段及び前記光学検出手段の両方を備えた一体的な装置として構成したことを特徴とする無線タグ通信装置。
【請求項１１】
請求項１乃至１０のいずれか１項記載の無線タグ通信装置において、
前記第１又は第２無線タグ回路素子を備えたタグ媒体を搬送する搬送手段を有し、
前記書き込み制御手段は、前記通信手段を介し、前記各種作業情報又はこれに対応する情報を、前記第１又は第２無線タグ回路素子に備えられた前記ＩＣ回路部に書き込む
ことを特徴とする無線タグ通信装置。
【発明の詳細な説明】
【技術分野】
【０００１】
本発明は、対象物に備えられた無線タグ回路素子に対し無線通信により情報送受信を行う無線タグ通信装置に関する。
【背景技術】
【０００２】
物品管理を行う際に、管理対象の物品に情報保持部（バーコード等）を設け、その保持された情報を非接触で読み取る情報読み取り装置が既に知られている。
【０００３】
このような情報読み取り装置の従来技術として、例えば在庫管理を行うための在庫管理装置がある（例えば、特許文献１参照）。この従来技術では、ハンディーターミナルに接続されたバーコードリーダにより、各部品毎に設置したバーコードを読み取る。読み取ったバーコード情報は、ハンディターミナルより無線通信を介してコンピュータに送信され、コンピュータ側で集計を行うことでリアルタイムに在庫数データの更新や発注書の発行等を行えるようになっている。
【０００４】
【特許文献１】特開平７−１６８８９７号公報
【発明の開示】
【発明が解決しようとする課題】
【０００５】
上記従来技術の情報読み取り装置においては、バーコードリーダにより読み取ったバーコード情報は必ずコンピュータ側へと無線を介して送信され、コンピュータ側にて全部品についてのすべての情報の集計を行う。このため、全部品についての情報集計が可能な大容量で高価なデータベースや、上記ハンディターミナルやコンピュータの通信モデムを含む通信インフラ等が必要となり、全体として高価なシステムとならざるを得なかった。
【０００６】
本発明の目的は、高価なデータベースや通信インフラ等を使うことなく、比較的安価に物品の管理を行える無線タグ通信装置を提供することにある。
【課題を解決するための手段】
【０００７】
上記目的を達成するために、第１の発明は、管理対象の物品に設けられた光学識別子を光学的に検出する光学検出手段と、情報を記憶するＩＣ回路部と情報を送受信するアンテナとを備えた無線タグ回路素子と無線通信を行うための通信手段と、前記光学検出手段による前記光学識別子の検出結果に応じて、前記通信手段を介し、前記物品の管理用に設けた第１無線タグ回路素子に備えられた前記ＩＣ回路部に対し前記物品の保管状態に係わる各種作業情報を書き込む書き込み制御手段とを有することを特徴とする。
【０００８】
本願第１発明においては、管理対象の物品に対し、出荷、入荷、棚卸し、移動、廃却等の各種作業が行われその保管状態に変化が生じた（又は変化がなくてもチェックの必要が生じた）場合には、当該物品に設けられた光学識別子を光学検出手段で検出することで、書き込み制御手段がその検出結果に応じ、通信手段を介して物品管理用の第１無線タグ回路素子のＩＣ回路部に物品の保管状態に係わる各種作業情報を書き込む。このようにして、光学的に検出した保管状態の変化等を無線タグ回路素子への情報書き込みによって電子的に管理することができる。この結果、高価なデータベースや通信インフラ等を使わなくても、光学識別子及びこれを検出する光学検出手段と、無線タグ回路素子及び通信手段とで管理システムを比較的に安価に構成することができる。また、物品の管理用に第１無線タグ回路素子を設け、これに光学検出手段の検出結果に基づき各種作業情報を書き込む構成とすることで、各物品１つ１つに無線タグ回路素子を設ける必要がなくこれによってもコストを低減することができる。また、棚や箱、パレット等に無線タグ回路素子を設けることで、そのような棚・箱・パレット等の単位で容易に管理することができ、このとき１つの無線タグ回路素子にその管理単位に含まれる全物品の情報を記憶させているので、容易に集計が可能という効果もある。
【０００９】
第２発明は、上記第１発明において、前記書き込み制御手段は、前記光学検出手段による検出結果と前記無線タグ通信装置の作業モードとに応じて、前記各種作業情報を書き込むことを特徴とする。
【００１０】
管理対象の物品に対し、出荷、入荷、棚卸し、移動、廃却等の各種作業が行われた場合に、当該物品に設けられた光学識別子を光学検出手段で検出し、この検出結果と、その各種作業に対応した作業モードとに応じて書き込み制御手段が第１無線タグ回路素子のＩＣ回路部に物品の各種作業情報を書き込むことにより、光学的に検出した物品の保管状態の変動を無線タグ回路素子への情報書き込みによって電子的に管理することができる。
【００１１】
第３発明は、上記第２発明において、前記書き込み制御手段は、前記光学検出手段による検出結果と前記無線タグ通信装置の作業モードとに応じて、前記第１無線タグ回路素子の前記ＩＣ回路部における前記物品の数量情報を減少又は増加させることを特徴とする。
【００１２】
管理対象の物品に対し、出荷、入荷、棚卸し等の各種作業が行われた場合に、書き込み制御手段が物品の数量情報を減少させる（又は増加させる）ことで、１つの第１無線タグ回路素子に対応した１つの管理単位における物品数の推移を確実に反映させつつ電子的に管理することができる。
【００１３】
第４発明は、上記第２又は第３発明において、前記書き込み制御手段は、前記光学検出手段による検出結果と前記無線タグ通信装置の作業モードとに応じて、前記第１無線タグ回路素子の前記ＩＣ回路部に記憶された前記物品の数量履歴情報を更新することを特徴とする。
【００１４】
管理対象の物品に対し、出荷、入荷、棚卸し等の各種作業が行われた場合に、書き込み制御手段が物品の数量履歴情報を更新することで、１つの第１無線タグ回路素子に対応した１つの管理単位における物品数の過去の推移情報を確認しつつ、管理することができる。
【００１５】
第５発明は、上記第２乃至第４発明のいずれかにおいて、前記光学検出手段による前記光学識別子の検出時における環境情報を検出する環境情報検出手段を有し、前記書き込み制御手段は、前記光学検出手段による前記光学識別子の検出時において、前記環境情報検出手段で検出した前記環境情報を、前記物品の各種作業情報とともに前記第１無線タグ回路素子の前記ＩＣ回路部に対し書き込むことを特徴とする。
【００１６】
管理対象の物品に対し、出荷、入荷、棚卸し、移動、廃却等の各種作業が行われ光学識別子で検出が行われた場合に、環境情報を併せて第１無線タグ回路素子に書き込むことにより、環境情報も加味した多様な観点からの物品管理を行うことができ、管理者側の利便性がさらに向上する。
【００１７】
第６発明は、上記第１発明において、前記光学検出手段による検出結果と前記無線タグ通信装置の作業モードとに応じて、前記通信手段を介し、前記物品の管理用に設けた第１無線タグ回路素子に備えられた前記ＩＣ回路部に記憶された、前記物品の前記各種作業情報を読み取る読み取り制御手段と、この読み取り制御手段で読み取った前記各種作業情報を集計し出力する集計出力手段とを有することを特徴とする。
【００１８】
管理対象の物品に対し、棚卸しや移動等が行われた場合に、当該物品に設けられた光学識別子を光学検出手段で検出し、これに応じて読み取り制御手段が既に第１無線タグ回路素子のＩＣ回路部に記憶された物品の各種作業情報を読み取り、さらにこれを集計出力手段で集計し出力することにより、物品の在庫確認を行うことができる。
【００１９】
第７発明は、上記第１乃至第６発明のいずれかにおいて、前記通信手段を介し、操作者権限確認用に設けた第２無線タグ回路素子に備えられた前記ＩＣ回路部に記憶した操作権限情報を取得する権限情報取得手段を有し、前記書き込み制御手段は、前記権限情報取得手段で取得した前記操作権限情報に応じて前記第１無線タグ回路素子の前記ＩＣ回路部に対し前記各種作業情報の書き込みを行うことを特徴とする。
【００２０】
権限情報取得手段で第２無線タグ回路素子より取得した操作権限情報に応じて、書き込み制御手段の書き込みを行うことにより、操作権限を有する操作者のみが物品管理を可能とするとともに、操作権限を有さない操作者には物品管理を禁止することができるので、さらにセキュリティーの高い安全な物品管理を行うことができる。
【００２１】
第８発明は、上記第７発明において、当該複数種類の操作権限のうちいずれかを選択する選択操作信号を入力する信号入力手段を有し、前記書き込み制御手段は、前記信号入力手段で入力した前記選択操作信号に応じて、前記各種作業情報の書き込みを行うことを特徴とする。
【００２２】
これにより、複数種類のうち操作者が選択したいずれかの操作権限に関して物品管理を行うようにすることができる。
【００２３】
第９発明は、上記第８発明において、前記権限情報取得手段で取得した前記操作権限情報と、前記信号入力手段で入力した前記選択操作信号に対応した操作権限とを照合する照合手段を有することを特徴とする。
【００２４】
操作者が選択した操作権限と、当該操作者に許されている操作権限とを照合し、照合が合致する場合にのみ物品管理を可能とし、合致しない場合には警告報知等を行うようにすることができる。
【００２５】
第１０発明は、上記第１乃至第９発明のいずれかにおいて、前記通信手段及び前記光学検出手段の両方を備えた一体的な装置として構成したことを特徴とする。
【００２６】
無線タグ回路素子との通信機能及び光学識別子の検出機能の両者を一体的に備えた装置構成とすることで、操作者による操作性や取り扱い性を向上することができる。
【００２７】
第１１発明は、上記第１乃至第１０発明のいずれかにおいて、前記第１又は第２無線タグ回路素子を備えたタグ媒体を搬送する搬送手段を有し、前記書き込み制御手段は、前記通信手段を介し、前記各種作業情報又はこれに対応する情報を、前記第１又は第２無線タグ回路素子に備えられた前記ＩＣ回路部に書き込むことを特徴とする。
【００２８】
無線タグ通信装置に、第１又は第２無線タグ回路素子を備えた無線タグラベルの作成機能を付加することで、ラベル作成からその後の情報読み取りを介した物品管理まで当該無線タグ通信装置で行うことができ、利便性を大きく向上することができる。
【発明の効果】
【００２９】
本発明によれば、高価なデータベースや通信インフラ等を使うことなく、比較的安価に物品の管理を行うことができる。
【発明を実施するための最良の形態】
【００３０】
以下、本発明の一実施の形態を図面を参照しつつ説明する。本実施形態は、本発明の無線タグ通信装置を例えば書籍の在庫管理システムに適用した例である。
【００３１】
図１は、書籍の在庫管理システムにおいて、操作者（作業者）Ｍが書籍Ｂを出荷または入荷する操作を行う様子を示す図である。
【００３２】
図１に示すように、各書籍Ｂには、当該書籍固有のバーコード（光学識別子）Ｃが設けられている。また、当該書棚Ｓに載せられる各書籍Ｂを管理するためのタグＩＤ（識別情報）が書き込まれた無線タグ回路素子Ｔｏ−Ｂ（図２参照）を有するタグラベルＴＢが、この例では書棚Ｓに設けられている。さらに、操作者Ｍは、操作者固有のタグＩＤが書き込まれた無線タグ回路素子Ｔｏ−Ｍ（図２参照）を有するタグラベル（但しタグカード等でも良い）ＴＭを身に着けている。
【００３３】
操作者Ｍが書籍Ｂに対し、保管状態に係わる各種作業（出荷、入荷、棚卸し、移動等）を行うときには、ハンディ型の無線タグ通信装置（ハンディスキャナ）２００を書籍Ｂに近づけ、この書籍Ｂに設けられたバーコードＣの情報の読み取りを行う。また、ハンディスキャナ２００を用いて、操作者Ｍが身に着けたタグラベルＴＭに備えられる無線タグ回路素子Ｔｏ−Ｍ（図２参照）の情報の読み取りを行うと共に、書棚Ｓに設けられたタグラベルＴＢに備えられる無線タグ回路素子Ｔｏ−Ｂ（図２参照）との間で情報の読み取り及び書き込みを行う（詳細は後述）。
【００３４】
図２は、本実施形態のハンディスキャナ２００を有する在庫管理システムの全体構成を表すシステム構成図である。
【００３５】
図２において、ハンディスキャナ２００は、タグラベルＴＢ，ＴＭにそれぞれ備えられる無線タグ回路素子Ｔｏ−Ｂ，Ｔｏ−Ｍの各アンテナ１５１との間で無線通信により信号の授受を行うアンテナ１０と、このアンテナ１０を介し上記無線タグ回路素子Ｔｏ−Ｂ，Ｔｏ−Ｍの各ＩＣ回路部１５０へ無線通信によりアクセスするとともに、その無線タグ回路素子Ｔｏ−Ｂ，Ｔｏ−Ｍから読み出された信号を処理する高周波回路２０１と、書籍Ｂに設けられたバーコードＣの情報（書籍の種類や単位数など）を光学的に検出するバーコードリーダ２０３と、高周波回路２０１及びバーコードリーダ２０３と接続された制御回路２０２とを有する。
【００３６】
このようにハンディスキャナ２００は、無線タグ回路素子Ｔｏ−Ｂ，Ｔｏ−Ｍとの通信を行うための高周波回路２０１及びアンテナ１０とバーコードリーダ２０３とを一体的に備えており、これによって操作者Ｍによる操作性や取り扱い性を向上することができる。
【００３７】
タグラベルＴＢ，ＴＭに備えられる無線タグ回路素子Ｔｏ−Ｂ，Ｔｏ−Ｍは、情報を記憶するＩＣ回路部１５０と、このＩＣ回路部１５０に接続されたアンテナ１５１とをそれぞれ備えている。アンテナ１５１は、例えば周知のダイポールアンテナである。
【００３８】
図３は、本実施形態のハンディスキャナ２００の全体概略構造を表す正面図である。図３において、このハンディスキャナ２００は、筐体４と、この筐体４の上部（図３中手前側）の大部分を占めるように配設され、各種情報の内容や警告等の表示を行う表示部５と、筐体４の側面に配設され、情報の読み込みや書き込みを行う際に操作者Ｍが操作を行う操作部６（例えばボタン、スイッチ等）と、情報の読み取りや書き込みがうまくいかなかった場合に報知を行う例えばスピーカ等の音声報知手段７とを備えている。また、筐体４には、上記のアンテナ１０とバーコードリーダ２０３とが取り付けられている。
【００３９】
図４は、タグラベルＴＢ，ＴＭに備えられた上記無線タグ回路素子Ｔｏ−Ｂ，Ｔｏ−Ｍの機能的構成の一例を表すブロック図である。
【００４０】
図４において、無線タグ回路素子Ｔｏ−Ｂ，Ｔｏ−Ｍは、ハンディスキャナ２００のアンテナ１０と非接触で信号の送受信を行う上記アンテナ１５１と、このアンテナ１５１に接続された上記ＩＣ回路部１５０とをそれぞれ有している。
【００４１】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して後述する制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４及び変復調部１５６等を介して上記無線タグ回路素子Ｔｏ−Ｂ，Ｔｏ−Ｍの作動を制御するための制御部１５７とを備えている。
【００４２】
変復調部１５６は、アンテナ１５１により受信された上記ハンディスキャナ２００のアンテナ１０からの通信信号の復調を行うと共に、上記制御部１５７からの返信信号に基づき、アンテナ１５１が受信した搬送波を変調し、アンテナ１５１より反射波として再送信する。制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４３】
クロック抽出部１５４は受信した信号からクロック成分を抽出して制御部１５７にクロックを抽出するものであり、受信した信号のクロック成分の速度に対応したクロックを制御部１５７に供給する。
【００４４】
図５は、上記ハンディスキャナ２００の制御系の構成を表す機能ブロック図である。
【００４５】
図５において、高周波回路２０１は、アンテナ１０を介し無線タグ回路素子Ｔｏ−Ｂ，Ｔｏ−Ｍに対して信号を送信する送信部２１２と、アンテナ１０により受信された無線タグ回路素子Ｔｏ−Ｂ，Ｔｏ−Ｍからの反射波を入力する受信部２１３と、送受分離器２１４とから構成される。
【００４６】
送信部２１２は、無線タグ回路素子Ｔｏ−Ｂ，Ｔｏ−ＭのＩＣ回路部１５０の無線タグ情報を読み取るための搬送波を発生させる水晶振動子２３０、制御回路２０２の制御により所定の周波数の信号を発生させるＰＬＬ（Ｐｈａｓｅ  Ｌｏｃｋｅｄ  Ｌｏｏｐ）２３１、及びＶＣＯ（Ｖｏｌｔａｇｅ  Ｃｏｎｔｒｏｌｌｅｄ  Ｏｓｃｉｌｌａｔｏｒ）２３２と、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記発生される搬送波は、好適にはＵＨＦ帯、マイクロ波帯、あるいは短波帯の周波数を用いており、上記送信アンプ２１７の出力は、送受分離器２１４を介しアンテナ１０に伝達されて、無線タグ回路素子Ｔｏ−Ｂ，Ｔｏ−ＭのＩＣ回路部１５０に供給される。なお、無線タグ情報は上記のように変調した信号に限られず、単なる搬送波のみの場合もある。
【００４７】
受信部２１３は、アンテナ１０で受信された無線タグ回路素子Ｔｏ−Ｂ，Ｔｏ−Ｍからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１０で受信された無線タグ回路素子Ｔｏ−Ｂ，Ｔｏ−Ｍからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００４８】
また、受信第１アンプ２２１及び受信第２アンプ２２５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路２２６にも入力され、それらの信号の強度を示す信号「ＲＳＳＩ」が制御回路２０２に入力されるようになっている。このようにして、本実施形態のハンディスキャナ２００では、Ｉ−Ｑ直交復調によって無線タグ回路素子Ｔｏ−Ｂ，Ｔｏ−Ｍからの反射波の復調が行われる。
【００４９】
一方、バーコードリーダ２０３は制御回路２０２に接続されており、バーコードリーダ２０３により光学的に検出された書籍Ｂのバーコード情報が制御回路２０２に送出される。
【００５０】
また、制御回路２０２は、操作部６からの操作信号を入力するとともに、表示部５への表示制御信号、音声報知手段７への報知信号等を出力する。
【００５１】
図６は、上記制御回路２０２の詳細機能を表す機能ブロック図である。
【００５２】
図６において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。
【００５３】
以上において、本実施形態の特徴は、バーコードリーダ２０３による書籍Ｂに付されたバーコードＣの検出結果に応じて、書籍Ｂの管理用として書棚Ｓに設けたタグラベルＴＢに備えられた無線タグ回路素子Ｔｏ−ＢのＩＣ回路部１５０に対し、書籍Ｂの物品の保管状態に係わる各種作業情報（又は、この各種作業情報に対応づけられたタグＩＤ等。各種作業情報がサーバに格納されており、タグＩＤとひもづけられている場合等）を書き込むようにしたことにある。以下、その詳細手順を、図７を用いて順を追って説明する。
【００５４】
図７は、上記制御回路２０２が実行する制御手順を表すフローチャートである。例えばハンディスキャナ２００の電源が投入されることによって、このフローが開始される。
【００５５】
まずステップＳ１０では、操作者Ｍにより実施される作業が出荷作業であるかどうかを判定する。ハンディスキャナ２００には、予め、上記保管状態に係わる各種作業の態様にそれぞれ応じた、複数の作業モードが設定されている。この例では、出荷作業に対応した出荷モードと、入荷作業に対応した入荷モードとの２つが設けられており、いずれのモードを選ぶかを操作者Ｍが上記操作部６（例えばボタン、スイッチ等）による指示操作で選択できるようになっている。したがって、このステップＳ１０における作業の判定は、上記モード選択によりいずれが選ばれているかによって行う。なお、操作部６による指示操作以外に、作業指示情報を内蔵したバーコードや無線タグ回路素子の読み取り等の方法によってモード選択を行うようにしてもよい。
【００５６】
実施される作業が出荷作業であるときはステップＳ１０の判定が満たされて、ステップＳ１５に移り、実施される作業が出荷作業でないときは判定が満たされず、入荷作業であるとみなしてステップＳ２０に移る。
【００５７】
ステップＳ１５では、操作者Ｍが身に着けているタグラベルＴＭに備えられる無線タグ回路素子Ｔｏ−Ｍの情報を読み取る。具体的には、上記送信部２１２に読み取り制御信号を送信することにより、無線タグ回路素子Ｔｏ−ＭのＩＣ回路部１５０に対して読み取り信号を送信させ、上記読み取り信号に対応した応答信号として無線タグ回路素子Ｔｏ−Ｍの情報を受信部２１３を介して受信する。なお、無線タグ回路素子Ｔｏ−Ｍに記憶された情報には、例えば当該操作者Ｍが所属する会社・部門情報、出荷・入荷権限といった操作権限情報、その他操作者Ｍに関する情報などが含まれている。
【００５８】
次いでステップＳ２５において、読み取った無線タグ回路素子Ｔｏ−Ｍに基づいて、操作者Ｍが身に着けるタグラベルＴＭが有効であるかどうか（故障していないか、予め想定したタイプであるか等）を判定する。当該操作者ＭのタグラベルＴＭが有効であるときは判定が満たされて、ステップＳ３０に移り、当該操作者ＭのタグラベルＴＭが有効でないときは判定が満たされずに、ステップＳ４５に移る。
【００５９】
ステップＳ３０では、読み取った無線タグ回路素子Ｔｏ−Ｍに基づいて、操作者Ｍが出荷部門の人間であるかどうかを判定する。当該操作者Ｍが出荷部門の人間であるときは判定が満たされて、ステップＳ３５に移り、当該操作者Ｍが出荷部門の人間でないときは判定が満たされずに、ステップＳ４５に移る。
【００６０】
ステップＳ３５では、読み取った無線タグ回路素子Ｔｏ−Ｍに基づいて、操作者Ｍが出荷権限を有しているかどうかを更に判定する。当該操作者Ｍが出荷権限を有しているときは判定が満たされて、ステップＳ４０に移り、当該操作者Ｍが出荷権限を有していないときは判定が満たされずに、ステップＳ４５に移る。
【００６１】
ステップＳ４０では、出荷モード処理（後述）を実行する。ステップＳ４５では、操作者Ｍが身に着けるタグラベルＴＭが有効でない、操作者Ｍが出荷部門の人間でない、操作者Ｍが出荷権限を有していないことの何れかを理由として、出荷モード処理を実行しない旨を表示部５に警告表示させる。
【００６２】
ステップＳ２０では、操作者Ｍが身に着けるタグラベルＴＭに備えられる無線タグ回路素子Ｔｏ−Ｍの情報を読み取る。この無線タグ回路素子Ｔｏ−Ｍの情報読み取り手順は、上記のステップＳ１５と同様である。
【００６３】
次いでステップＳ５０において、読み取った無線タグ回路素子Ｔｏ−Ｍに基づいて、操作者Ｍが身に着けるタグラベルＴＭが有効であるかどうかを判定する。当該操作者ＭのタグラベルＴＭが有効であるときは判定が満たされて、ステップＳ５５に移り、当該操作者ＭのタグラベルＴＭが有効でないときは判定が満たされずに、ステップＳ７０に移る。
【００６４】
ステップＳ５５では、読み取った無線タグ回路素子Ｔｏ−Ｍに基づいて、操作者Ｍが入荷部門の人間であるかどうかを判定する。当該操作者Ｍが入荷部門の人間であるときは判定が満たされて、ステップＳ６０に移り、当該操作者Ｍが入荷部門の人間でないときは判定が満たされずに、ステップＳ７０に移る。
【００６５】
ステップＳ６０では、読み取った無線タグ回路素子Ｔｏ−Ｍに基づいて、操作者Ｍが入荷権限を有しているかどうかを判定する。当該操作者Ｍが入荷権限を有しているときは判定が満たされて、ステップＳ６５に移り、当該操作者Ｍが入荷権限を有していないときは判定が満たされずに、ステップＳ７０に移る。
【００６６】
ステップＳ６５では、入荷モード処理（後述）を実行する。ステップＳ７０では、操作者Ｍが身に着けるタグラベルＴＭが有効でない、操作者Ｍが入荷部門の人間でない、操作者Ｍが入荷権限を有していないことの何れかを理由として、入荷モード処理（後述）を実行しない旨を表示部５に警告表示させる。
【００６７】
図８は、上述したステップＳ４０における出荷モード処理の詳細手順を表すフローチャートである。
【００６８】
図８において、まずステップＳ１００では、出荷する書籍Ｂのバーコード情報（書籍の種類や単位数など）をバーコードリーダ２０３で光学的に読み取る。
【００６９】
次いでステップＳ１１０において、書棚Ｓに貼られているタグラベルＴＢに備えられる無線タグ回路素子Ｔｏ−Ｂの情報（各書籍の種類情報、数量情報、日時情報など）を読み取る。具体的には、上記送信部２１２に読み取り制御信号を送信することにより、無線タグ回路素子Ｔｏ−ＢのＩＣ回路部１５０に対して読み取り信号を送信させ、上記読み取り信号に対応した応答信号として無線タグ回路素子Ｔｏ−Ｂの情報を受信部２１３を介して受信する。
【００７０】
次いでステップＳ１２０において、出荷する書籍Ｂに該当する当該種類の書籍の在庫数（数量情報）を単位数分（通常は１）だけ減少させる演算を行う。
【００７１】
そしてステップＳ１３０において、書棚Ｓに貼られているタグラベルＴＢに備えられる無線タグ回路素子Ｔｏ−Ｂに対し、出荷する書籍Ｂの種類について上記ステップＳ１２０にて数量情報を減算した後の新たな情報を書き込む。具体的には、上記送信部２１２に書き込み制御信号を送信することにより、無線タグ回路素子Ｔｏ−ＢのＩＣ回路部１５０に対して書き込み情報を送信させる。これにより、無線タグ回路素子Ｔｏ−ＢのＩＣ回路部１５０に記憶された書籍Ｂの在庫数が更新されることになる。なお、このように減算したものを上書きして書き込むのに限られず、（例えば無線タグ回路素子Ｔｏ自体が演算機能を備えている場合等においては）無線タグ回路素子Ｔｏに対し１つ減算処理を行う旨のデータを送信し、無線タグ回路素子Ｔｏ内において減算上書きするようにしても良い。また、これらのように数値を随時上書き更新する（以前の数値は消去する）のでなく、時間経過に沿ってすべての数値情報変動履歴を蓄積していく（過去の数値も残す）ようにしてもよい。さらに、書籍の種類及び在庫数等に加え、操作者のデータを無線タグ回路素子Ｔｏ−Ｂに記録してもよい。
【００７２】
図９は、上述したステップＳ６５における入荷モード処理の詳細手順を表すフローチャートである。
【００７３】
図９において、まずステップＳ２００では、入荷する書籍Ｂのバーコード情報（書籍の種類や単位数など）をバーコードリーダ２０３で光学的に読み取る。
【００７４】
次いでステップＳ２１０において、書棚Ｓに貼られているタグラベルＴＢに備えられる無線タグ回路素子Ｔｏ−Ｂの情報（各書籍の種類情報、数量情報、日時情報など）を読み取る。この無線タグ回路素子Ｔｏ−Ｂの情報読み取り手順は、上記のステップＳ１１０と同様である。
【００７５】
次いでステップＳ２２０において、入荷する書籍Ｂの在庫数（数量情報）を単位数分（通常は１）だけ加算する演算を行う。
【００７６】
そしてステップＳ２３０において、書棚Ｓに貼られているタグラベルＴＢに備えられる無線タグ回路素子Ｔｏ−Ｂに対し、入荷する書籍Ｂの種類について上記ステップＳ２２０にて数量情報を加算した後の新たな情報を書き込む。この無線タグ回路素子Ｔｏ−Ｂへの情報書き込み手順は、上記のステップＳ１３０と同様である。これにより、無線タグ回路素子Ｔｏ−ＢのＩＣ回路部１５０に記憶された書籍Ｂの在庫数が履歴情報として更新されることになる。なお、前述と同様、このように減算したものを上書きして書き込むのに限られず、（例えば無線タグ回路素子Ｔｏ自体が演算機能を備えている場合等においては）無線タグ回路素子Ｔｏに対し１つ加算処理を行う旨のデータを送信し、無線タグ回路素子Ｔｏ内において加算上書きするようにしても良い。また、これらのように数値を随時上書き更新する（以前の数値は消去する）のでなく、時間経過に沿ってすべての数値情報変動履歴を蓄積していく（過去の数値も残す）ようにしてもよい。また、書籍の種類及び在庫数等に加え、操作者のデータを無線タグ回路素子Ｔｏ−Ｂに記録してもよい。
【００７７】
以上において、制御回路２０２が実行する図７のフローのステップＳ４０，Ｓ６５は、各請求項記載の、光学検出手段（バーコードリーダ２０３）による光学識別子（バーコードＣ）の検出結果に応じて、通信手段（アンテナ１０）を介し、物品（書籍Ｂ）の管理用に設けた第１無線タグ回路素子Ｔｏ−Ｂに備えられたＩＣ回路部１５１に対し物品の保管状態に係わる各種作業情報を書き込む書き込み制御手段を構成する。
【００７８】
また、制御回路２０２が実行する図７のフローのステップＳ１５，Ｓ２０は、通信手段（アンテナ１０）を介し、操作者権限確認用に設けた第２無線タグ回路素子Ｔｏ−Ｍに備えられたＩＣ回路部１５１に記憶した操作権限情報を取得する権限情報取得手段を構成する。
【００７９】
以上のように本実施形態においては、書籍Ｂの保管状態に変化が生じた（この例では出荷作業又は入荷作業が行われた）場合、書籍Ｂに設けられたバーコードＣの情報をバーコードリーダ２０３で光学的に検出する。そして、書籍Ｂを出荷するときには当該書籍Ｂの在庫数を減算し、書籍Ｂを入荷するときには当該書籍Ｂの在庫数を加算する。そして、書籍管理用として書棚Ｓに貼られているタグラベルＴＢの無線タグ回路素子Ｔｏ−ＢのＩＣ回路部１５１に、出荷後または入荷後の在庫数を書き込む。これにより、１つの無線タグ回路素子Ｔｏ−Ｂに対応した１つの管理単位における在庫数の推移を確実に反映させつつ、書籍Ｂの保管状態の変動を電子的に管理することができる。
【００８０】
従って、特に高価なデータベースや通信インフラ等を使わなくても、在庫管理システムを比較的に安価に構成することができる。また、書籍の管理用に無線タグ回路素子Ｔｏ−Ｂを設け、これにバーコードリーダ２０３の検出結果に基づき各種作業情報（この例では出荷及び入荷作業情報）を書き込む構成としたので、各書籍１冊１冊に無線タグ回路素子を設ける必要がなく、これによってもコストを低減することができる。
【００８１】
さらに、書棚Ｓに無線タグ回路素子Ｔｏ−Ｂを設けることで、書籍Ｂの上記各種作業情報を１つの無線タグ回路素子Ｔｏ−Ｂに対応した１つの管理単位である書棚単位で容易に管理することができ、特に、無線タグ回路素子Ｔｏ−Ｂに記憶された書籍Ｂの在庫数履歴情報が更新されることで、書棚Ｓごとの在庫数の過去の推移情報を確認することができる。
【００８２】
また、タグラベルＴＭに備えられる無線タグ回路素子Ｔｏ−Ｍの情報を読み取ることで、操作者Ｍの操作権限情報を取得し、その操作権限情報に応じてタグラベルＴＢの無線タグ回路素子Ｔｏ−Ｂに書き込みを行うようにしたので、操作権限を有する操作者Ｍのみが書籍管理を可能とするとともに、操作権限を有さない操作者には書籍管理を禁止することができる（図７のステップＳ４５、ステップＳ７０参照）。これにより、セキュリティーの高い安全な管理を行うことができる。
【００８３】
なお、本発明は、上記実施形態に限られず、その趣旨と技術思想の範囲を逸脱しない範囲で更に種々の変形が可能である。以下その変形例を説明する。
【００８４】
（１）無線タグ回路素子に集計情報を書き込む場合
上記実施形態においては、各種作業情報として、タグラベルＴＢの無線タグ回路素子Ｔｏ−Ｂに出荷情報または入荷情報を書き込むようにしたが、これに限られず、棚卸し集計情報を書き込むようにしてもよい。
【００８５】
図１０は、本変形例における上記制御回路２０２が実行する制御手順を表すフローチャートである。図１０において、ステップＳ１０〜ステップＳ７０は、前述の図７に示すフローと同様である。
【００８６】
ステップＳ１０において、実施される作業が出荷作業でないと判定されると、ステップＳ３０５に移り、実施される作業が入荷作業であるかどうかを判定する。この作業の判定は、前述のステップＳ１０と同様、操作者Ｍのモード選択に基づいて行う。すなわちこの例では、ハンディスキャナ２００に、上記出荷モード及び入荷モードに加え、棚卸し作業に対応した棚卸しモードの合計３つが設けられており、いずれのモードを選ぶかを操作者Ｍが上記操作部６（例えばボタン、スイッチ等）による指示操作で選択できるようになっている。
【００８７】
実施される作業が入荷作業であるときはステップＳ３０５の判定が満たされて、前述のステップＳ２０に移り、実施される作業が入荷作業でないときは判定が満たされず、棚卸し集計作業であるとみなしてステップＳ３１０に移る。
【００８８】
ステップＳ３１０では、操作者Ｍが身に着けているタグラベルＴＭに備えられる無線タグ回路素子Ｔｏ−Ｍの情報を読み取る。この無線タグ回路素子Ｔｏ−Ｍの情報読み取り手順は、上記のステップＳ１５と同様である。
【００８９】
次いでステップＳ３１５において、読み取った無線タグ回路素子Ｔｏ−Ｍに基づいて、操作者Ｍが身に着けるタグラベルＴＭが有効であるか（故障していないか、予め想定したタイプであるか等）を判定する。当該操作者ＭのタグラベルＴＭが有効であるときは判定が満たされて、ステップＳ３２０に移り、当該操作者ＭのタグラベルＴＭが有効でないときは判定が満たされずに、ステップＳ３３５に移る。
【００９０】
ステップＳ３２０では、読み取った無線タグ回路素子Ｔｏ−Ｍに基づいて、操作者Ｍが集計部門の人間であるかどうかを判定する。当該操作者Ｍが集計部門の人間であるときは判定が満たされて、ステップＳ３２５に移り、当該操作者Ｍが集計部門の人間でないときは判定が満たされずに、ステップＳ３３５に移る。
【００９１】
ステップＳ３２５では、読み取った無線タグ回路素子Ｔｏ−Ｍに基づいて、操作者Ｍが集計権限を有しているかどうかを判定する。当該操作者Ｍが集計権限を有しているときは判定が満たされて、ステップＳ３３０に移り、当該操作者Ｍが集計権限を有していないときは判定が満たされずに、ステップＳ３３５に移る。
【００９２】
ステップＳ３３０では、集計モード処理（後述）を実行する。ステップＳ３３５では、操作者Ｍが身に着けているタグラベルＴＭが有効でない、操作者Ｍが集計部門の人間でない、操作者Ｍが集計権限を有していないことの何れかを理由として、集計モード処理（後述）を実行しない旨を表示部５に警告表示させる。
【００９３】
図１１は、上述したステップＳ３３０における集計モード処理の詳細手順を表すフローチャートである。
【００９４】
図１１において、まずステップＳ４００では、棚卸し作業を行う書籍Ｂのバーコード情報（書籍の種類や単位数など）をバーコードリーダ２０３で光学的に読み取る。
【００９５】
次いでステップＳ４１０において、書棚Ｓに貼られているタグラベルＴＢに備えられる無線タグ回路素子Ｔｏ−Ｂの情報（各書籍の種類情報、数量情報、日時情報など）を読み取る。この無線タグ回路素子Ｔｏ−Ｂの情報読み取り手順は、上記のステップＳ１１０等と同様である。
【００９６】
次いでステップＳ４２０において、上記ステップＳ４１０で無線タグ回路素子Ｔｏ−Ｂから読み取った情報のうち、上記ステップＳ４００で読み取った対象物品である書籍Ｂに関し棚卸し処理（在庫確認）のチェック済みとする。
【００９７】
そしてステップＳ４３０において、書棚Ｓに貼られているタグラベルＴＢに備えられる無線タグ回路素子Ｔｏ−Ｂに対し、上記ステップＳ４２０でチェック済みとした後の新たな情報を書き込む。この無線タグ回路素子Ｔｏ−Ｂへの情報書き込み手順は、上記のステップＳ１３０等と同様である。これにより、無線タグ回路素子Ｔｏ−ＢのＩＣ回路部１５０に記憶された書棚Ｓの棚卸し状況が更新されることになる。
【００９８】
その後、ステップＳ４４０に移り、操作者Ｍによる操作部６を介した集計出力指示があったかどうかを判定する。指示がなければ判定が満たされず、ステップＳ４００に戻って同様の手順を繰り返す。集計出力指示があればステップＳ４４０の判定が満たされ、ステップＳ４５０へ移る。
【００９９】
ステップＳ４５０では、これまでにステップＳ４００〜ステップＳ４４０の繰り返しにより行った棚卸し作業の各種数量をすべて集計し、その集計結果を所定の形式で出力（表示部５又はその他接続された外部の表示手段に表示しても良いし、外部に接続された印刷手段によってプリントアウトしてもよい）し、このフローを終了する。
【０１００】
以上において、制御回路２０２が実行する図１０のフローのステップＳ４０，Ｓ６５，Ｓ３３０は、各請求項記載の、光学検出手段（バーコードリーダ２０３）による光学識別子（バーコードＣ）の検出結果に応じて、通信手段（アンテナ１０）を介し、物品（書籍Ｂ）の管理用に設けた第１無線タグ回路素子Ｔｏ−Ｂに備えられたＩＣ回路部１５１に対し物品の保管状態に係わる各種作業情報を書き込む書き込み制御手段を構成する。
【０１０１】
また、制御回路２０２が実行する図１０のフローのステップＳ１５，Ｓ２０，Ｓ３１０は、通信手段（アンテナ１０）を介し、操作者権限確認用に設けた第２無線タグ回路素子Ｔｏ−Ｍに備えられたＩＣ回路部１５１に記憶した操作権限情報を取得する権限情報取得手段を構成する。
【０１０２】
また、制御回路２０２が実行する図１０のフローのステップＳ４００は、物品の管理用に設けた第１無線タグ回路素子Ｔｏ−Ｂに備えられたＩＣ回路部１５１に記憶された、物品の各種作業情報を読み取る読み取り制御手段を構成し、ステップＳ４５０が、読み取り制御手段で読み取った各種作業情報を集計し出力する集計出力手段を構成する。
【０１０３】
上記構成の本変形例によっても、上記実施形態と同様の効果を得ることができる。また、無線タグ回路素子Ｔｏ−ＢのＩＣ回路部１５１に記憶された書籍Ｂの情報を読み取り、これを集計し出力することにより、書籍Ｂの在庫確認を行うことができる。なお、複数の書棚Ｓ，Ｓ間で書籍Ｂを移動させる場合も同様の手法で確認を行うことができる。
【０１０４】
（２）無線タグ回路素子に廃却情報を書き込む場合
上記実施形態においては、タグラベルＴＢの無線タグ回路素子Ｔｏ−Ｂに出荷情報または入荷情報を書き込むようにしたが、これに限られず、更に廃却情報を書き込むようにしてもよい。
【０１０５】
図１２は、本変形例における上記制御回路２０２が実行する制御手順を表すフローチャートである。図１２において、ステップＳ１０〜ステップＳ７０及びステップＳ３０５〜ステップＳ３３５は、前述の図１０に示すフローと同様である。
【０１０６】
ステップＳ３０５において、実施される作業が入荷作業でないと判定されると、ステップＳ３４０に移り、実施される作業が棚卸し集計作業であるかどうかを判定する。この作業の判定は、前述のステップＳ１０と同様にして行う。すなわちこの例では、ハンディスキャナ２００に、上記出荷モード、入荷モード、棚卸しモードに加え、廃却作業に対応した廃却モードの合計３つが設けられており、いずれのモードを選ぶかを操作者Ｍが上記操作部６（例えばボタン、スイッチ等）による指示操作で選択できるようになっている。
【０１０７】
実施される作業が棚卸し集計作業であるときは判定が満たされて、前述のステップＳ３１０に移り、実施される作業が棚卸し集計作業でないときは判定が満たされず、廃却作業であるとみなしてステップＳ３４５に移る。
【０１０８】
ステップＳ３４５では、操作者Ｍが身に着けているタグラベルＴＭに備えられる無線タグ回路素子Ｔｏ−Ｍの情報を読み取る。この無線タグ回路素子Ｔｏ−Ｍの情報読み取り手順は、上記のステップＳ１５等と同様である。
【０１０９】
ここで、上記読み取られる無線タグ回路素子Ｔｏ−Ｍの情報の一例を図１３に表す。図１３において、この例では、無線タグ回路素子Ｔｏ−Ｍに、作業者（操作者）コードと、出荷権限、入荷権限、集計権限、及び廃却権限の操作権限情報コードと、会社・部門コードとが記憶されている。
【０１１０】
会社・部門コードは、上述したステップＳ３０、ステップＳ５５、ステップＳ３２０、及び後述のステップＳ３５５等において当該操作者Ｍの属する部門を判定するのに用いられるものである。この判定のときに併せて作業者コードを用いるようにしてもよい。
【０１１１】
操作権限コードは、上述したステップＳ３５、ステップＳ６０、ステップＳ３２５、及び後述のステップＳ３６０等において当該操作者Ｍの属する部門を判定するのに用いられるものである。なお、図示のように、１人の操作者Ｍに複数種類の操作権限が与えられる場合もある。
【０１１２】
図１２に戻り、ステップＳ３４５が終了した後はステップＳ３５０に移り、読み取った無線タグ回路素子Ｔｏ−Ｍに基づいて、操作者Ｍが身に着けるタグラベルＴＭが有効であるか（故障していないか、予め想定したタイプであるか等）どうかを判定する。当該操作者ＭのタグラベルＴＭが有効であるときは判定が満たされて、ステップＳ３５５に移り、当該操作者ＭのタグラベルＴＭが有効でないときは判定が満たされずに、ステップＳ３７０に移る。
【０１１３】
ステップＳ３５５では、読み取った無線タグ回路素子Ｔｏ−Ｍに基づいて、操作者Ｍが廃却部門の人間であるかどうかを判定する。当該操作者Ｍが廃却部門の人間であるときは判定が満たされて、ステップＳ３６０に移り、当該操作者Ｍが廃却部門の人間でないときは判定が満たされずに、ステップＳ３７０に移る。
【０１１４】
ステップＳ３６０では、読み取った無線タグ回路素子Ｔｏ−Ｍに基づいて、操作者Ｍが廃却権限を有しているかどうかを更に判定する。当該操作者Ｍが廃却権限を有しているときは判定が満たされて、ステップＳ３６５に移り、当該操作者Ｍが廃却権限を有していないときは判定が満たされずに、ステップＳ３７０に移る。
【０１１５】
ステップＳ３６５では、廃却モード処理を実行する。具体的には、書棚Ｓに貼られているタグラベルＴＢに備えられる無線タグ回路素子Ｔｏ−Ｂに対して所定の無効化信号を送信し、無線タグ回路素子Ｔｏ−Ｂのデータのうち、有効／無効フラグを「無効」に書き換える。これにより、当該無線タグ回路素子Ｔｏ−Ｂに対しては情報の読み取り及び書き込みが一切できなくなる。
【０１１６】
ステップＳ３７０では、操作者Ｍが身に着けているタグラベルＴＭが有効でない、操作者Ｍが廃却部門の人間でない、操作者Ｍが廃却権限を有していないことの何れかを理由として、廃却モード処理を実行しない旨を表示部５に警告表示させる。
【０１１７】
（３）タグラベル作成機能を有する無線タグ通信装置を用いる場合
上記実施形態において、無線タグ通信装置（ハンディスキャナ）２００の通信相手である無線タグ回路素子Ｔｏ−Ｂを備えたタグラベルＴＢを作成する機能を、当該無線タグ通信装置に併せて備えさせるようにしてもよい。このようにタグラベル作成機能を備えさせる場合、上記のように携帯可能なハンディタイプでなく、定置式の無線タグ通信装置としてもよい。
【０１１８】
図１４は、上記定置式とした本変形例の無線タグ通信装置３００を用いて、操作者Ｍが書籍Ｂの出荷作業（または入荷作業）を行っている様子を示す図である。この図１４に示すように、本変形例においては、例えば棚Ｎの上に無線タグ通信装置３００が設置されている。この場合、操作者Ｍは、出荷または入荷する書籍Ｂを持って無線タグ通信装置３００の所まで行き、その書籍Ｂを無線タグ通信装置３００に近接させることで、書籍Ｂに設けられたバーコードＣの情報読み取りを行い、その後この読み取り結果に応じて前述の無線タグ通信装置２００と同様の処理を行う。
【０１１９】
図１５は、上記ラベル作成機能を備えた本変形例の無線タグ通信装置３００の全体構成を含む、システム構成図である。
【０１２０】
図１５において、無線タグ通信装置３００は、上記のように無線タグラベル作成機能を備えており、その無線タグラベル作成機能以外の機能は、上記無線タグ通信装置２００と同等のものである。すなわち、無線タグ通信装置３００は、前述の高周波回路２０１、アンテナ１０、及びバーコードリーダ２０３と、所定間隔で無線タグ回路素子Ｔｏ−Ｂが備えられたタグテープ３０３（タグ媒体）を巻回したタグテープロール３０４と、このタグテープロール３０４から繰り出されたタグテープ３０３のうち各無線タグ回路素子Ｔｏ−Ｂに対応した領域に所定の印字を行う印字ヘッド３０５と、タグテープ３０３を搬送する搬送ローラ３０８（搬送手段）と、無線タグ回路素子Ｔｏ−Ｂとの間で無線通信により情報の送受信を行うアンテナ３０６及び高周波回路３０１と、タグテープ３０３への印字及び無線タグ回路素子Ｔｏ−Ｂへの情報書き込みが終了したタグテープ３０３を所定の長さに切断して前述の無線タグラベルＴＢとするカッタ３０７と、高周波回路２０１，３０１、バーコードリーダ２０３、印字ヘッド３０５、搬送ローラ４０８、及びカッタ３０７の制御を行う制御回路３０２とを有する。
【０１２１】
高周波回路３０１は、詳細な説明を省略するが、上記ハンディスキャナ２００の高周波回路２０１とほぼ同等の機能を備えている。
【０１２２】
制御回路３０２は、上記ハンディスキャナ２００の制御回路２０２と同じ機能に加え、無線タグ回路素子Ｔｏ−ＢのＩＣ回路部１５０へのアクセス情報を生成し、このアクセス情報を高周波回路３０１及びアンテナ３０６を介して無線タグ回路素子Ｔｏ−Ｂへ送信し、無線タグ回路素子Ｔｏ−ＢのＩＣ回路部１５０へ情報書き込みを行う（書き込み制御手段として機能）。このとき、無線タグ回路素子Ｔｏ−Ｂに書き込む情報は、前述と同様の書籍Ｂの各種作業情報（出荷情報、入荷情報、棚卸し情報等）であり、この無線タグ回路素子Ｔ書き込み終了後、カッタ３０７で所定長さに切断されることで無線タグラベルＴＢが形成される。
【０１２３】
本変形例においては、無線タグ回路素子Ｔｏ−Ｂを備えた無線タグラベルＴＢの作成機能が付加された無線タグ通信装置３００とすることで、ラベル作成からその後の情報読み取りを介した物品管理まで当該無線タグ通信装置３００で行うことができ、利便性を大きく向上することができる。なお、上記と同様にして前述の無線タグラベルＴＡを作成可能としても良い。
【０１２４】
（４）その他
（Ａ）環境情報検出
以上において、各種作業時（詳細にはバーコードリーダ２０３による読み取り時）における環境情報（例えば周囲温度等）を検出する温度センサ等の環境情報検出手段を無線タグ通信装置に設け、書棚に貼られているタグラベルＴＢの無線タグ回路素子Ｔｏ−Ｂに各種作業情報を書き込むときに、上記検出した環境情報を各種作業情報とともに書き込んでもよい。これにより、環境情報も加味した多様な観点からの在庫管理を行うことができ、管理者側の利便性がさらに向上する。
【０１２５】
（Ｂ）操作者が複数の操作権限を有している場合
以上においては、操作者Ｍが身につける無線タグラベルＴＭに備えられた無線タグ回路素子Ｔｏ−Ｍより操作者Ｍの権限情報を取得し、この操作権限がこれから行おうとする各種作業モードと合致するかどうかを、図７、図１０、図１２のステップＳ３５、ステップＳ６０、ステップＳ３２５、ステップＳ３６０において判定した。ここで、前述の図１３に一例を示したように、操作者Ｍが複数種類の操作権限を有している場合がある。このような場合に、操作者Ｍによる操作部６を介した適宜の選択操作によって当該複数の操作権限のうちどれを用いて作業を行うかを操作入力させるようにし（制御回路２０２等でこの選択操作信号を入力する手順が、複数種類の操作権限のうちいずれかを選択する選択操作信号を入力する信号入力手段を構成する）、この選択に応じて、無線タグ回路素子Ｔｏ−Ｂに各種作業情報の書き込みを行うようにしてもよい。
【０１２６】
あるいはさらに、上記選択された操作権限と、図７、図１０、図１２のステップＳ１５、ステップＳ２０、ステップＳ３１０、ステップＳ３４５での読み取り結果に基づく操作権限情報とが合致するかどうかを、制御回路２０２等で照合するようにしてもよい（照合手段）。この場合、操作者Ｍが選択した操作権限と、無線タグ回路素子Ｔｏ−Ｍから読み取られた操作者Ｍに許されている操作権限とが合致する場合にのみ物品管理を可能とし、合致しない場合には警告報知等を行うようにすることも可能である。
【０１２７】
なお、以上においては、管理対象物品として書籍の在庫管理を例にとって説明したが、管理する物品としては、特にこれに限られない。また、物品の管理情報が書き込まれた無線タグ回路素子を有するタグラベルが設けられる場所は、棚、箱、容器、パレット等でもよい。
【０１２８】
また、以上既に述べた以外にも、上記実施形態や各変形例による手法を適宜組み合わせて利用しても良い。
【０１２９】
その他、一々例示はしないが、本発明は、その趣旨を逸脱しない範囲内において、種々の変更が加えられて実施されるものである。
【図面の簡単な説明】
【０１３０】
【図１】本発明の無線タグ通信装置の一実施形態を備えた書籍の在庫管理システムにおいて、操作者が書籍を出荷または入荷する操作を行う様子を示す図である。
【図２】本発明の無線タグ通信装置の一実施形態を備えた書籍の在庫管理システムの全体構成を表すシステム構成図である。
【図３】本発明の無線タグ通信装置の一実施形態であるハンディスキャナの全体概略構造を表す正面図である。
【図４】本発明の無線タグ通信装置の一実施形態であるハンディスキャナの検索対象である書籍を載せる書棚及び操作者に設けられるタグラベルに備えられた無線タグ回路素子の機能的構成の一例を表すブロック図である。
【図５】本発明の無線タグ通信装置の一実施形態であるハンディスキャナの制御系の構成を表す機能ブロック図である。
【図６】本発明の無線タグ通信装置の一実施形態であるハンディスキャナの制御回路の詳細機能を表す機能ブロック図である。
【図７】制御回路が実行する制御手順を表すフローチャートである。
【図８】図７における出荷モード処理の詳細手順を表すフローチャートである。
【図９】図７における入荷モード処理の詳細手順を表すフローチャートである。
【図１０】無線タグ回路素子に集計情報を書き込む場合の変形例における制御回路が実行する制御手順を表すフローチャートである。
【図１１】図１０における集計モード処理の詳細手順を表すフローチャートである。
【図１２】無線タグ回路素子に廃却情報を書き込む場合の変形例における制御回路が実行する制御手順を表すフローチャートである。
【図１３】操作者に設けられるタグラベルに備えられた無線タグ回路素子に記憶された情報の一例を表す図である。
【図１４】タグラベル作成機能を有する無線タグ通信装置を用いる場合の変形例における操作者が書籍を出荷または入荷する操作を行う様子を示す図である。
【図１５】図１４に示す定置型の無線タグ通信装置を有する在庫管理システムの全体構成を表すシステム構成図である。
【符号の説明】
【０１３１】
１０        アンテナ（通信手段）
１５０      アンテナ
１５１      ＩＣ回路部
２００      ハンディスキャナ（無線タグ通信装置）
２０１      高周波回路
２０２      制御回路（書き込み手段、権限情報取得手段）
２０３      バーコードリーダ（光学検出手段）
３００      無線タグ通信装置
３０１      高周波回路
３０２      制御回路（書き込み手段）
３０３      タグテープ（タグ媒体）
３０４      タグテープロール（搬送手段）
３０６      アンテナ（通信手段）
Ｂ          書籍（管理対象の物品）
Ｃ          バーコード（光学識別子）
Ｔo−Ｂ      無線タグ回路素子（第１無線タグ回路素子）
Ｔo−Ｍ      無線タグ回路素子（第２無線タグ回路素子）
【図１】
2008052454.tif 000003
【図２】
2008052454.tif 000004
【図３】
2008052454.tif 000005
【図４】
2008052454.tif 000006
【図５】
2008052454.tif 000007
【図６】
2008052454.tif 000008
【図７】
2008052454.tif 000009
【図８】
2008052454.tif 000010
【図９】
2008052454.tif 000011
【図１０】
2008052454.tif 000012
【図１１】
2008052454.tif 000013
【図１２】
2008052454.tif 000014
【図１３】
2008052454.tif 000015
【図１４】
2008052454.tif 000016
【図１５】
2008052454.tif 000017